(57)【特許請求の範囲】
【請求項１】
マンコンベヤの欄干の幅方向の内側に取り付けられるスカートガードであって、
弾性を有し、搬送方向に並べられる複数の板状部と、
前記板状部同士を接続する接続部と、を備え、
前記板状部は、長尺な平板状に形成され、
前記板状部の長手方向は、前記搬送方向に沿っており、前記板状部の短手方向は、前記幅方向に沿っており、
前記板状部は、内部に、前記搬送方向に延びる開口部を備え、
前記接続部は、それぞれの前記板状部の前記開口部の内部に挿入される、スカートガード。
【請求項２】
前記板状部は、短手方向において三等分して区分けされた先端部、中央部及び基端部を備え、
前記接続部の少なくとも一部は、前記板状部の前記先端部に配置される、請求項１に記載のスカートガード。
【請求項３】
前記開口部は、前記板状部の下面で開放される、請求項１又は２に記載のスカートガード。
【請求項４】
前記接続部の硬度は、前記板状部の硬度よりも、大きい、請求項１〜３の何れか１項に記載のスカートガード。
【請求項５】
前記接続部における前記板状部の厚み方向の寸法は、前記接続部における前記板状部の短手方向の寸法よりも、小さい、請求項４に記載のスカートガード。
【請求項６】
請求項１〜５の何れか１項に記載のスカートガードと、
前記スカートガードが幅方向の内側に取り付けられる欄干と、を備える、マンコンベヤ。
【発明の詳細な説明】
【技術分野】
【０００１】
本出願は、スカートガード及びマンコンベヤに関する。
【背景技術】
【０００２】
従来、例えば、マンコンベヤは、欄干と、欄干の幅方向の内側に取り付けられるスカートガードとを備えている（例えば、特許文献１）。特許文献１に係るスカートガードは、例えばスカートの裾等をガードするために、ブラシ部又は板状部を備えている。ところで、斯かる板状部が剛性を有しているため、板状部に外力が加えられた場合に破損する場合がる。
【先行技術文献】
【特許文献】
【０００３】
【特許文献１】特開２０１９−２０６４２５号公報
【発明の概要】
【発明が解決しようとする課題】
【０００４】
そこで、課題は、板状部が破損することを抑制することができるスカートガード及びマンコンベヤを提供することである。
【課題を解決するための手段】
【０００５】
スカートガードは、マンコンベヤの欄干の幅方向の内側に取り付けられるスカートガードであって、弾性を有し、搬送方向に並べられる複数の板状部と、前記板状部同士を接続する接続部と、を備える。
【０００６】
また、スカートガードにおいては、前記板状部は、前記搬送方向に延びる開口部を備え、前記接続部は、それぞれの前記板状部の前記開口部の内部に挿入される、という構成でもよい。
【０００７】
また、スカートガードにおいては、前記開口部は、前記板状部の下面で開放される、という構成でもよい。
【０００８】
また、スカートガードにおいては、前記接続部の硬度は、前記板状部の硬度よりも、大きい、という構成でもよい。
【０００９】
また、スカートガードにおいては、前記接続部における前記板状部の厚み方向の寸法は、前記接続部における前記板状部の短手方向の寸法よりも、小さい、という構成でもよい。
【００１０】
また、マンコンベヤは、前記のスカートガードと、前記スカートガードが幅方向の内側に取り付けられる欄干と、を備える。
【図面の簡単な説明】
【００１１】
【図１】図１は、一実施形態に係るマンコンベヤの概要図である。
【図２】図２は、図１のII−II線の拡大断面図である。
【図３】図３は、同実施形態に係るスカートガードの要部図であって、（ａ）は上面視図、（ｂ）は下面視図である。
【図４】図４は、図３のIV−IV線の拡大断面図である。
【図５】図５は、他の実施形態に係るスカートガードの要部図であって、（ａ）は上面視図、（ｂ）は下面視図である。
【図６】図６は、図５のVI−VI線の拡大断面図である。
【図７】図７は、さらに他の実施形態に係るスカートガードの要部図であって、上面視図である。
【発明を実施するための形態】
【００１２】
以下、マンコンベヤ及びスカートガードにおける一実施形態について、図１〜図４を参照しながら説明する。なお、各図（図５〜図７も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に設置される構造体２と、人を前後方向Ｄ１へ搬送する搬送部３と、搬送部３を幅方向Ｄ２で挟むように配置される一対の欄干４，４（図１においては、一つのみを図示している）とを備えている。また、マンコンベヤ１は、搬送部３及び欄干４を駆動させる駆動部５を備えている。
【００１４】
本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１５】
搬送部３は、駆動部５に駆動されることによって無端回転する環状の走行部（例えば、チェーン）３ａと、走行部３ａに対して回転可能に接続され、人が乗る踏面を有する複数のステップ３ｂとを備えている。走行部３ａは、幅方向Ｄ２に離れて一対（図１においては、一つのみを図示している）設けられている。そして、複数のステップ３ｂは、一対の走行部３ａ，３ａの間に配置され、それぞれの走行部３ａに対して回転可能に接続されている。
【００１６】
欄干４は、無端回転する環状の手摺ベルト４ａと、手摺ベルト４ａを支持するベルト支持部４ｂと、下部に配置されるカバー部４ｃとを備えている。駆動部５は、ステップ３ｂが反転するように、走行部３ａが巻き掛けられる回転部（例えば、スプロケット、鎖歯車）５ａ，５ａと、走行部３ａが無端回転してステップ３ｂが走行するように、回転部５ａを回転させる駆動源５ｂとを備えている。
【００１７】
そして、駆動部５の駆動が手摺ベルト４ａに伝達されることによって、手摺ベルト４ａは、走行部３ａの無端回転及びステップ３ｂの走行と同期して、無端回転する。なお、手摺ベルト４ａの回転速度は、走行部３ａの回転速度及びステップ３ｂの走行速度にそれぞれ比例している。
【００１８】
また、マンコンベヤ１は、回転部５ａ，５ａの回転方向を変更することによって、走行部３ａの回転方向、ステップ３ｂの走行方向及び手摺ベルト４ａの回転方向をそれぞれ変更可能である。これにより、マンコンベヤ１は、人を上方向へ搬送する状態と下方向へ搬送する状態とに切り替え可能である。
【００１９】
図２に示すように、マンコンベヤ１は、欄干４の幅方向Ｄ２の内側に取り付けられるスカートガード６を備えている。そして、スカートガード６は、搬送方向Ｄ４（ステップ３ｂに乗る人が搬送される方向）に沿って延びている。また、スカートガード６は、欄干４の下方側、具体的には、ステップ３ｂよりも少し上方側に配置されている。
【００２０】
スカートガード６は、幅方向Ｄ２に突出し且つ搬送方向Ｄ４に延びるガード本体６ａと、ガード本体６ａを欄干４のカバー部４ｃ（具体的には、スカートパネル４ｄ）に固定する固定部６ｂとを備えている。そして、ガード本体６ａは、弾性を有する長尺な弾性体７と、弾性体７を補強する長尺な補強部８とを備えている。
【００２１】
弾性体７は、板状に形成される板状部９と、板状部９よりも厚みが厚く、板状部９の端部（基端部９ｉ（図４参照））に連結されるベース部７ａとを備えている。弾性体７は、補強部８よりも、弾性を有している。例えば、弾性体７の弾性率は、補強部８の弾性率よりも、小さくなっている。特に限定されないが、弾性体７は、例えば、ゴム又は軟質樹脂で形成されていてもよい。
【００２２】
補強部８は、弾性体７に固定されている。具体的には、補強部８は、凹部８ａを備え、凹部８ａに弾性体７のベース部７ａを入れて引っ掛けて止めることによって、弾性体７に固定されている。なお、補強部８は、剛性を有しており、特に限定されないが、補強部８は、例えば、金属又は硬質樹脂で形成されていてもよい。
【００２３】
固定部６ｂは、搬送方向Ｄ４に沿って延びる長尺なフレーム６ｃと、フレーム６ｃを欄干４のカバー部４ｃに固定するネジ部材６ｄとを備えている。そして、フレーム６ｃは、凹部６ｅを備え、凹部６ｅに補強部８を入れて引っ掛けて止めることによって、ガード本体６ａを固定している。なお、フレーム６ｃは、剛性を有しており、特に限定されないが、フレーム６ｃは、例えば、金属又は硬質樹脂で形成されていてもよい。
【００２４】
なお、板状部９が欄干４に取り付けられる機構は、特に限定されない。即ち、弾性体７のベース部７ａ、補強部８、フレーム６ｃ、及びネジ部材６ｄは、マンコンベヤ１の必須の構成ではない。例えば、板状部９が欄干４に直接取り付けられている、という構成でもよい。
【００２５】
図３及び図４に示すように、板状部９は、長尺な平板状に形成されている。特に限定されないが、例えば、板状部９の長手方向Ｄ４の寸法は、２ｍ〜４ｍとしてもよく、また、例えば、板状部９の短手方向Ｄ５の寸法は、２０ｍｍ〜５０ｍｍとしてもよく、また、例えば、板状部９の厚み方向Ｄ６の寸法は、３ｍｍ〜６ｍｍとしてもよい。
【００２６】
そして、板状部９の長手方向Ｄ４が、搬送方向Ｄ４に沿っており、ガード本体６ａ、具体的には、板状部９は、搬送方向Ｄ４に複数並べられている。これにより、板状部９の長手方向Ｄ４の端部９ａ，９ａ間に、継目が存在している。そして、当該継目において、板状部９の端部９ａ，９ａ間に段差が生じて、例えばスカートの裾や足が板状部９の端部９ａに引っ掛かった場合には、板状部９の端部９ａに強い外力が加えられる。
【００２７】
そこで、スカートガード６は、板状部９，９同士を接続する接続部１０を備えている。これにより、板状部９の端部９ａ，９ａ間に段差が生じることを抑制することができるため、例えば、板状部９の端部９ａに強い外力が加えられることを抑制することができる。したがって、例えば、板状部９の端部９ａが破損することを抑制することができる。
【００２８】
また、板状部９は、長手方向Ｄ４に延びる開口部９ｂを備えている。そして、接続部１０が長尺に形成されており、接続部１０がそれぞれの板状部９の開口部９ｂの内部に挿入されることによって、接続部１０は、一対の板状部９，９に渡って配置されている。これにより、接続部１０が板状部９の外部に露出することを抑制することができる。したがって、例えば、接続部１０が板状部９から外れることを抑制することができる。
【００２９】
そして、開口部９ｂは、板状部９の下面９ｃで開放する開放部９ｄを備えている。なお、開放部９ｄの幅（短手方向Ｄ５の寸法）は、開口部９ｂの最大幅（短手方向Ｄ５の最大寸法）よりも、小さくなっている。これにより、板状部９の下面９ｃの開放部９ｄから開口部９ｂの内部に、接続部１０を挿入することができる。そして、板状部９は、開放部９ｄの短手方向Ｄ５の両側に配置される引掛部９ｅを備え、引掛部９ｅは、接続部１０を引っ掛けて止めている。
【００３０】
しかも、接続部１０の硬度は、板状部９の硬度よりも、大きくなっている。これにより、例えば、開口部９ｂの内部に接続部１０を容易に挿入することができる。しかも、接続部１０の硬度が大きいため、板状部９の端部９ａが接続部１０によって補強されるため、板状部９の端部９ａが破損することをさらに抑制することができる。特に限定されないが、接続部１０は、例えば、金属又は硬質樹脂で形成されていてもよい。
【００３１】
なお、開放部９ｄが板状部９の下面９ｃに配置されているため、例えば、ステップ３ｂに乗った人に対して、開放部９ｄ（開口部９ｂ）及び接続部１０が視認されることを抑制することができる。そして、板状部９の上面９ｆは、滑らかな平坦面となっているため、開放部９ｄが存在するにも関わらず、スカートガード６の意匠性が低下することを抑制することができていている。
【００３２】
ところで、接続部１０の硬度が大きいことに対して、接続部１０の厚み方向Ｄ６の寸法Ｗ１は、接続部１０の短手方向Ｄ５の寸法Ｗ２よりも、小さくなっている。具体的には、接続部１０は、長尺な板状に形成されている。特に限定されないが、接続部１０の厚み方向Ｄ６の寸法Ｗ１は、接続部１０の短手方向Ｄ５の寸法Ｗ２に対して、例えば、５％〜３０％であることが好ましい。
【００３３】
これにより、接続部１０は、例えば湾曲するようにして厚み方向Ｄ６で弾性変形し易くなる。したがって、板状部９の端部９ａが厚み方向Ｄ６に弾性変形し易いことに対して、接続部１０は、当該弾性変形に追従して弾性変形できる。なお、接続部１０の長手方向Ｄ４、短手方向Ｄ５、及び厚み方向Ｄ６は、板状部９の長手方向Ｄ４、短手方向Ｄ５、及び厚み方向Ｄ６とそれぞれ同じである。
【００３４】
また、板状部９は、短手方向Ｄ５において、先端側から基端側に向けて、先端部９ｇ、中央部９ｈ及び基端部９ｉを備えている。なお、先端部９ｇ、中央部９ｈ及び基端部９ｉは、板状部９を短手方向Ｄ５に三等分して区分けされた各部分である。そして、板状部９，９間の継目においては、板状部９の先端部９ｇ，９ｇ同士で段差が生じ易い。
【００３５】
そこで、特に限定されないが、接続部１０の少なくとも一部は、本実施形態のように、板状部９の短手方向Ｄ５の先端部９ｇに配置されることが好ましい。これにより、板状部９の短手方向Ｄ５の先端部９ｇ，９ｇ同士で段差が生じることを抑制することができる。なお、接続部１０は、板状部９の端部９ａのみに配置されている、という構成だけでなく、板状部９の長手方向Ｄ４の全長に亘って配置されている、という構成でもよい。
【００３６】
以上より、本実施形態に係るマンコンベヤ１は、前記のスカートガード６と、前記スカートガード６が幅方向Ｄ２の内側に取り付けられる欄干４と、を備える。
【００３７】
そして、本実施形態に係るスカートガード６は、マンコンベヤ１の欄干４の幅方向Ｄ２の内側に取り付けられるスカートガード６であって、弾性を有し、搬送方向Ｄ４に並べられる複数の板状部９と、前記板状部９同士を接続する接続部１０と、を備える。
【００３８】
斯かる構成によれば、板状部９が弾性を有しているため、板状部９に外力が加えられた場合に、板状部９は、弾性変形する。これにより、板状部９が破損することを抑制することができる。しかも、接続部１０が板状部９，９同士を接続しているため、板状部９の端部９ａ，９ａ間に段差が生じることを抑制することができる。
【００３９】
また、本実施形態に係るスカートガード６においては、前記板状部９は、前記搬送方向Ｄ４に延びる開口部９ｂを備え、前記接続部１０は、それぞれの前記板状部９の前記開口部９ｂの内部に挿入される、という構成である。
【００４０】
斯かる構成によれば、接続部１０が、板状部９の開口部９ｂの内部に挿入されるため、接続部１０は、板状部９の内部に配置されている。これにより、接続部１０が板状部９の外部に露出することを抑制することができる。
【００４１】
また、本実施形態に係るスカートガード６においては、前記開口部９ｂは、前記板状部９の下面９ｃで開放される、という構成である。
【００４２】
斯かる構成によれば、開口部９ｂが板状部９の下面９ｃで開放されているため、接続部１０を板状部９の下面９ｃ側から開口部９ｂの内部に挿入することができる。そして、開口部９ｂの開放される位置が板状部９の下面９ｃであるため、例えば、開口部９ｂ及び接続部１０が視認されることを抑制することができる。
【００４３】
また、本実施形態に係るスカートガード６においては、前記接続部１０の硬度は、前記板状部９の硬度よりも、大きい、という構成である。斯かる構成によれば、接続部１０の硬度が、板状部９の硬度よりも大きいため、例えば、板状部９の開口部９ｂの内部に接続部１０を容易に挿入することができる。
【００４４】
また、本実施形態に係るスカートガード６においては、前記接続部１０における前記板状部９の厚み方向Ｄ６の寸法Ｗ１は、前記接続部１０における前記板状部９の短手方向Ｄ５の寸法Ｗ２よりも、小さい、という構成である。
【００４５】
斯かる構成によれば、接続部１０の硬度が板状部９の硬度よりも大きいことに対して、接続部１０における板状部９の厚み方向Ｄ６の寸法Ｗ１は、接続部１０における板状部９の短手方向Ｄ５の寸法Ｗ２よりも、小さいため、接続部１０は、厚み方向Ｄ６に弾性変形し易い。これにより、板状部９の端部９ａが厚み方向Ｄ６で弾性変形し易いことに対して、接続部１０は、当該弾性変形に追従して弾性変形できる。
【００４６】
なお、マンコンベヤ１及びスカートガード６は、上記した実施形態の構成に限定されるものではなく、また、上記した作用効果に限定されるものではない。また、マンコンベヤ１及びスカートガード６は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４７】
（１）上記実施形態に係るスカートガード６においては、一対の板状部９，９は、一つの接続部１０によって、接続されている、という構成である。しかしながら、スカートガード６は、斯かる構成に限られない。例えば、図５及び図６に示すように、一対の板状部９，９は、複数の接続部１０によって、接続されている、という構成でもよい。
【００４８】
図５及び図６に係るスカートガード６においては、板状部９は、複数の開口部９ｂを備えている。そして、図５及び図６に係るスカートガード６においては、接続部１０は、全ての開口部９ｂの内部に挿入されている、という構成であるが、斯かる構成に限られず、接続部１０は、例えば、複数の開口部９ｂのうち、必要な開口部９ｂの内部のみに挿入されている、という構成でもよい。
【００４９】
（２）また、上記実施形態に係るスカートガード６においては、接続部１０における板状部９の厚み方向Ｄ６の寸法Ｗ１は、接続部１０における板状部９の短手方向Ｄ５の寸法Ｗ２よりも、小さい、という構成である。しかしながら、スカートガード６は、斯かる構成に限られない。
【００５０】
例えば、接続部１０の厚み方向Ｄ６の寸法Ｗ１は、接続部１０の短手方向Ｄ５の寸法Ｗ２よりも、大きい、という構成でもよい。また、例えば、図５及び図６に示すように、接続部１０の厚み方向Ｄ６の寸法Ｗ１は、接続部１０の短手方向Ｄ５の寸法Ｗ２と、同じ、という構成でもよい。なお、特に限定されないが、図５及び図６に係る接続部１０の断面形状は、円形状である。
【００５１】
（３）また、上記実施形態に係るスカートガード６においては、接続部１０は、板状部９と別部材である、という構成である。しかしながら、スカートガード６は、斯かる構成に限られない。例えば、図７に示すように、接続部１０は、板状部９と同一部材である、という構成でもよい。図７に係る弾性体７は、板状部９の端部９ａに凹凸形状である接続部１０を備えており、一対の弾性体７，７は、接続部１０，１０同士が嵌め込まれることによって、板状部９，９同士を接続する、という構成である。
【００５２】
（４）また、上記実施形態に係るスカートガード６においては、板状部９は、開口部９ｂを備え、接続部１０は、開口部９ｂの内部に挿入されている、という構成である。しかしながら、スカートガード６は、斯かる構成に限られない。例えば、接続部１０が凹部を有し、板状部９が接続部１０の凹部の内部に挿入されることによって、接続部１０は、板状部９，９同士を接続している、という構成でもよい。
【００５３】
（５）また、上記実施形態に係るスカートガード６においては、開口部９ｂは、板状部９の下面９ｃで開放される、という構成である。しかしながら、スカートガード６は、斯かる構成に限られない。例えば、開口部９ｂは、板状部９の上面９ｆ又は側面で開放される、という構成でもよい。また、例えば、開口部９ｂは、板状部９の厚み方向Ｄ６で開放されておらず、板状部９の端部９ａのみで開放されている、という構成でもよい。
【００５４】
（６）また、上記実施形態に係るスカートガード６においては、接続部１０の硬度は、板状部９の硬度よりも、大きい、という構成である。しかしながら、スカートガード６は、斯かる構成に限られない。例えば、接続部１０の硬度は、板状部９の硬度よりも、小さい、という構成でもよい。また、例えば、接続部１０の硬度は、板状部９の硬度と、同じ、という構成でもよい。即ち、例えば、接続部１０と板状部９とは、同じ材質で形成されている、という構成でもよい。
【００５５】
（７）また、スカートガード６においては、例えば、接続部１０は、接着剤などによって、板状部９に接着される、という構成でもよい。
【符号の説明】
【００５６】
１…マンコンベヤ、２…構造体、３…搬送部、３ａ…走行部、３ｂ…ステップ、４…欄干、４ａ…手摺ベルト、４ｂ…ベルト支持部、４ｃ…カバー部、４ｄ…スカートパネル、５…駆動部、５ａ…回転部、５ｂ…駆動源、６…スカートガード、６ａ…ガード本体、６ｂ…固定部、６ｃ…フレーム、６ｄ…ネジ部材、６ｅ…凹部、７…弾性体、７ａ…ベース部、８…補強部、８ａ…凹部、９…板状部、９ａ…端部、９ｂ…開口部、９ｃ…下面、９ｄ…開放部、９ｅ…引掛部、９ｆ…上面、９ｇ…先端部、９ｈ…中央部、９ｉ…基端部、１０…接続部、Ｄ１…前後方向、Ｄ２…幅方向、Ｄ３…上下方向、Ｄ４…搬送方向、長手方向、Ｄ５…短手方向、Ｄ６…厚み方向
【要約】
【課題】  板状部が破損することを抑制することができるスカートガードを提供する。
【解決手段】  スカートガードは、マンコンベヤの欄干の幅方向の内側に取り付けられるスカートガードであって、弾性を有し、搬送方向に並べられる複数の板状部と、板状部同士を接続する接続部と、を備える。
【選択図】  図５【図１】
0006895097.tif 000002
【図２】
0006895097.tif 000003
【図３】
0006895097.tif 000004
【図４】
0006895097.tif 000005
【図５】
0006895097.tif 000006
【図６】
0006895097.tif 000007
【図７】
0006895097.tif 000008